(57)【特許請求の範囲】
【請求項１】
背負い鞄の背当て部に背負いベルトを取付けるための背負いベルト取付具であって、
前記背負い鞄の前記背当て部に取付け可能な取付板と、
前記背負いベルトの上端部を接続可能であり、前記取付板に揺動可能に取付けられ、前記背負いベルトを前記背当て部に連結する一対の連結体とを備え、
前記一対の連結体のそれぞれは、内部に補強部材を有しており、
前記補強部材は、金属板で形成されており、複数の貫通孔を有しており、かつ前記連結体の樹脂で覆われている、背負いベルト取付具。
【請求項２】
前記一対の連結体のそれぞれは、
前記背負いベルト側に配置された厚肉部と、
前記取付板に揺動可能に取付けられ、前記厚肉部よりも厚みが薄く形成された薄肉部とを含み、
前記補強部材は、前記厚肉部から前記薄肉部にわたって連続的に設けられている、請求項１に記載の背負いベルト取付具。
【請求項３】
前記一対の連結体のそれぞれは湾曲形状を有しており、
前記補強部材は、前記一対の連結体のそれぞれの湾曲形状に沿うように湾曲部を有している、請求項１または２に記載の背負いベルト取付具。
【請求項４】
前記補強部材は、前記連結体の厚み方向の中央部に位置している、請求項１〜３のいずれかに記載の背負いベルト取付具。
【請求項５】
背当て部と、
背負いベルトと、
請求項１〜４のいずれかに記載の背負いベルト取付具とを備え、
前記背負いベルト取付具によって前記背当て部に前記背負いベルトを取付けた、背負い鞄。
【発明の詳細な説明】
【技術分野】
【０００１】
本発明は、背負いベルト取付具および背負い鞄に関し、特に、背負い鞄の背当て部に背負いベルトを取付けるための背負いベルト取付具およびそれを備えた背負い鞄に関するものである。
【背景技術】
【０００２】
背負いベルト取付具として、たとえば特開２０１０−３５７０５号公報（特許文献１）および特開２００３−３３９４１９号公報（特許文献２）に記載された取付具が提案されている。
【０００３】
これらの取付具では、取付板に一対の連結体が揺動可能に取付けられており、各連結体の上部に設けられた挿入孔に背負いベルトの上端部が挿入されている。
【先行技術文献】
【特許文献】
【０００４】
【特許文献１】特開２０１０−３５７０５号公報
【特許文献２】特開２００３−３３９４１９号公報
【発明の概要】
【発明が解決しようとする課題】
【０００５】
背負い鞄の一例として、ランドセルは広く知られている。ランドセルは、使用時に使用者の背に当接される背当て部と、使用時に使用者の肩に掛けられる背負いベルトとを備えている。この背負いベルトは、一般に取付具を介してランドセルの背当て部に取り付けられる。
【０００６】
ランドセルは典型的には小学生によって使用されるが、小学生の中にはランドセルを乱暴に扱う者もいる。例えば、ランドセルを背負ったまま戯れたり、床面や地面に投げ付けるようにランドセルを置くことも考えられる。このようにランドセルが乱暴に扱われることをも考慮して、ランドセルは、通常は当初から堅固に作製されているが、使用態様によっては、背負いベルト取付具における連結体が破損することがある。
【０００７】
本発明は、上記課題を鑑みてなされたものであり、その目的は、連結体の耐久性を向上することができる背負いベルト取付具およびそれを備えた背負い鞄を提供することである。
【課題を解決するための手段】
【０００８】
本発明の背負いベルト取付具は、背負い鞄の背当て部に背負いベルトを取付けるためのものである。背負いベルト取付具は、背負い鞄の背当て部に取付け可能な取付板と、背負いベルトの上端部を接続可能であり、取付板に揺動可能に取付けられ、背負いベルトを背当てに連結する一対の連結体とを備えている。一対の連結体のそれぞれは、内部に補強部材を有している。補強部材は、金属板で形成されており、複数の貫通孔を有しており、かつ連結体の樹脂で覆われている。
【０００９】
本発明の背負いベルト取付具によれば、連結体は内部に補強部材を有しているため、補強部材によって連結体を補強することができる。これにより、補強部材によって連結体の耐久性を向上することができる。
【００１０】
上記の背負いベルト取付具では、好ましくは、一対の連結体のそれぞれは、背負いベルト側に配置された厚肉部と、取付板に揺動可能に取付けられ、厚肉部よりも厚みが薄く形成された薄肉部とを含んでいる。補強部材は、厚肉部から薄肉部にわたって連続的に設けられている。連結体は、厚肉部と薄肉部との境界部分で破損することがある。そこで、補強部材を厚肉部から薄肉部にわたって連続的に設けることにより、補強部材によって破損し易い厚肉部と薄肉部との境界部分を補強することができる。これにより、補強部材によって連結体を効果的に補強することができる。
【００１１】
上記の背負いベルト取付具では、好ましくは、一対の連結体のそれぞれは湾曲形状を有しており、補強部材は、一対の連結体のそれぞれの湾曲形状に沿うように湾曲部を有している。連結体は湾曲した部分で破損することもある。そこで、補強部材に連結体の湾曲形状に沿う湾曲部を設けることで、湾曲部によって破損し易い連結体の湾曲した部分を補強することができる。これにより、補強部材によって連結体を効果的に補強することができる。
【００１２】
上記の背負いベルト取付具では、好ましくは、補強部材は、連結体の厚み方向の中央部に位置している。このため、補強部材によって連結体の厚み方向の中央部で連結体を補強することができる。したがって、補強部材によって連結体の厚み方向で連結体を効果的に補強することができる。
【００１３】
上記の背負いベルト取付具では、好ましくは、補強部材は、金属板で形成されている。このため、金属板で連結体を補強することができる。したがって、補強部材によってしっかりと連結体を補強することができる。
【００１４】
本発明の背負い鞄は、背当て部と、背負いベルトと、上記の背負いベルト取付具とを備えている。背負い鞄は背負いベルト取付具によって背当て部に背負いベルトを取付けている。本発明の背負い鞄によれば、上記の背負いベルト取付具を備えているため、連結体の耐久性を向上することができる背負い鞄を得ることができる。
【発明の効果】
【００１５】
以上説明したように、本発明によれば、連結体の耐久性を向上することができる。
【図面の簡単な説明】
【００１６】
【図１】本発明の一実施の形態におけるランドセルの概略斜視図である。
【図２】本発明の一実施の形態における背負いベルト取付具の概略一部分解斜視図である。
【図３】本発明の一実施の形態における背負いベルト取付具の概略斜視図である。
【図４】本発明の一実施の形態における背負いベルト取付具がランドセルの背当て部に取付けられた状態を示す概略上面図である。
【図５】本発明の一実施の形態における背負いベルト取付具がランドセルの背当て部に取付けられた状態を示す概略側面図である。
【図６】本発明の一実施の形態における一対の連結体の概略斜視図である。
【図７】本発明の一実施の形態における一対の連結体の概略正面図である。
【図８】本発明の一実施の形態における一対の連結体の概略背面図である。
【図９】本発明の一実施の形態における一対の連結体の概略側面図であって、図７の矢印Ａ方向から見た図（ａ）および矢印Ａ’方向から見た図（ｂ）である。
【図１０】本発明の一実施の形態における一対の補強部材の概略正面図である。
【図１１】本発明の一実施の形態における一対の補強部材の概略側面図であって、図１０の矢印Ａ方向から見た図（ａ）および矢印Ａ’方向から見た図（ｂ）である。
【図１２】本発明の一実施の形態における一対の補強部材の概略上面図である。
【図１３】本発明の一実施の形態における変形例１の背負いベルト取付具の概略一部分解斜視図である。
【図１４】本発明の一実施の形態における変形例１の背負いベルト取付具がランドセルの背当て部に取付けられた状態を示す概略上面図である。
【図１５】本発明の一実施の形態における変形例１の背負いベルト取付具の概略側面図である。
【図１６】本発明の一実施の形態における変形例１の一対の連結体の概略正面図である。
【図１７】本発明の一実施の形態における変形例１の一対の連結体の概略側面図であって、図１６の矢印Ａ方向から見た図（ａ）および矢印Ａ’方向から見た図（ｂ）である。
【図１８】本発明の一実施の形態における変形例２の一対の連結体の概略正面図である。
【図１９】本発明の一実施の形態における変形例２の一対の連結体の概略側面図であって、図１８の矢印Ａ方向から見た図（ａ）および矢印Ａ’方向から見た図（ｂ）である。
【図２０】本発明の一実施の形態における変形例３の一対の連結体の概略正面図である。
【図２１】本発明の一実施の形態における変形例３の一対の連結体の概略側面図であって、図２０の矢印Ａ方向から見た図（ａ）および矢印Ａ’方向から見た図（ｂ）である。
【発明を実施するための形態】
【００１７】
以下、本発明の一実施の形態について図に基づいて説明する。本実施の形態では背負い鞄としてランドセルを例に説明する。なお、同一の機能を果たす要素には同一の参照符号を付し、その説明は、特に必要がなければ繰り返さない。
【００１８】
最初に本実施の形態のランドセルの構成について説明する。
図１を参照して、本実施の形態のランドセルは、ランドセル本体Ｒと、背負いベルトＢと、背負いベルト取付具１００とを主に有している。ランドセル本体Ｒは、背当て部Ｔと、側面部と、正面部と、底面部と、開口部と、蓋部とを有している。背負いベルト取付具１００によって背当て部Ｔに背負いベルトＢが取付けられている。背負いベルト取付具１００は、ランドセル本体Ｒの背当て部Ｔの上端部の中央部に固着されている。
【００１９】
背当て部Ｔはランドセルを使用者が背負ったときに背中に接する部分である。側面部は背当て部Ｔの左右両側に設けられている。正面部は背当て部Ｔと対向して側面部と左右両側で連結されている。底面部は、背当て部Ｔ、側面部および正面部のそれぞれの下端に設けられている。開口部は背当て部Ｔ、側面部および正面部のそれぞれの上端に設けられている。蓋部は背当て部Ｔの上端に接続されており、開口部および正面部を覆うことが可能に設けられている。
【００２０】
背負いベルトＢはランドセルを使用者が背負ったときに使用者の両肩に装着されるように構成されている。背負いベルトＢの上端部は、背負いベルト取付具１００によって背当て部Ｔの上端部に接続されている。背負いベルトＢの下端部は、底面部に設けられた止め具（図示せず）に接続されている。背負いベルトＢは左右に２本設けられている。背負いベルトＢは、厚手の皮革地や合成樹脂地からなっている。背負いベルトＢは上端部で弾性合成樹脂板や弾性金属板などの弾性部材を挟み込むように構成されている。
【００２１】
図２および図３を参照して、背負いベルト取付具１００は、ランドセル本体Ｒの背当て部Ｔに背負いベルトＢを取付けるためのものである。背負いベルト取付具１００は、取付板１と、上蓋板２と、連結体３と、補強部材１１とを主に有している。
【００２２】
取付板１はランドセル本体Ｒの背当て部Ｔに取付け可能に構成されている。上蓋板２は取付板１の空間Ｓを塞ぐように構成されている。取付板１の空間Ｓに左右一対の連結体３が左右方向に揺動自在に収納されている。
【００２３】
一対の連結体３は、背負いベルトＢを背当て部Ｔに連結するように構成されている。連結体３は、取付板１に揺動可能に取付けられている。連結体３は背負いベルトＢの上端部を接続可能に構成されている。連結体３は上部に挿入部４を有している。連結体３は、背負いベルトＢの上端部を挿入可能な挿入孔４ａを有している。挿入孔４ａは上に向けて開口するように挿入部４に設けられている。また、一対の連結体３のそれぞれは、内部に補強部材１１を有している。補強部材１１は、金属板で形成されている。なお、連結体３は上述のように背負いベルトＢに直接的に接続されていてもよく、また背負いベルトＢに間接的に接続されていてもよい。つまり、たとえば連結体３の上部に設けられた取付環に背負いベルトＢの上端部が取付けられていてもよい。
【００２４】
それぞれの連結体３に形成された摺動孔５に取付板１に設けられた摺動体６がそれぞれ挿入されている。それぞれの連結体３の下端に設けられた軸孔７に取付板１に設けられた支軸８が挿入されている。それぞれの連結体３の対向側面に設けられた歯合部３ａが互いに噛み合わされている。それぞれの連結体３の外側面を内方向に押し付けるように略Ｖ字状のバネ９が取付板１の空間Ｓに設けられている。バネ９は連結体３にそれぞれ内方向の弾力を付勢可能に構成されている。
【００２５】
再び図１および図２を参照して、背負いベルト取付具１００は、リベット１０ａによってランドセル本体Ｒの背当て部Ｔにリベット止めされている。リベット１０ａは上蓋板２に設けられたリベット孔２ａから取付板１に設けられたリベット孔１ａに挿入されている。
【００２６】
図４および図５を参照して、一対の連結体３のそれぞれの挿入部４の挿入孔４ａには、背負いベルトＢの上端部がそれぞれ挿入されている。挿入部４に設けられたリベット孔４ｂに挿入されたリベット１０によって、挿入部４に背負いベルトＢがリベット止めされている。これにより背負いベルトＢが連結体３に固着されている。
【００２７】
図４に示すように、挿入部４は、背当て部Ｔの中心線Ｃ方向に、背当て部Ｔの外側から５〜２０度の傾斜角度αの範囲内で捻じられている。傾斜角度αは約８度が好ましい。さらに、図５に示すように、挿入部４は、背当て部Ｔの前方向に、背当て部Ｔの上端から３〜１０度の傾斜角度βの範囲内で傾けられている。傾斜角度βは約５度が好ましい。これにより、背負いベルトＢの外側端ｏが内側に捻られる。このため、使用者がランドセルを背負ったときには、背負いベルトＢの外側端ｏが内側端ｉよりも使用者の背中や肩に密着することになる。
【００２８】
図６〜図９を参照して、一対の補強部材１１の各々は前後方向および左右方向に傾斜している。一対の連結体３のそれぞれの内部に補強部材１１が設けられている。補強部材１１は連結体３の本体にトランスファーモールドによって樹脂で封止されている。図６に示すように、一対の連結体３のそれぞれは、厚肉部３ｂと、薄肉部３ｃとを有している。厚肉部３ｂは背負いベルトＢ側に配置されている。厚肉部３ｂは挿入孔４ａを有している。薄肉部３ｃは取付板１に揺動可能に取付けられる。薄肉部３ｃは厚肉部３ｂよりも厚みが薄く形成されている。
【００２９】
図７に示すように、連結体３は正面側において穴３１〜穴３３を有している。補強部材１１は、複数の貫通孔１１ａを有している。穴３１および穴３２の位置には貫通孔１１ａが形成されておらず、穴３１および穴３２からは補強部材１１が露出している。また、貫通孔１１ａは穴３３、摺動孔５および軸孔７を貫通させるように形成されている。
【００３０】
図８に示すように、連結体３は背面側において穴３４〜穴３６を有している。穴３４〜穴３６の位置には貫通孔１１ａが形成されておらず、穴３４〜穴３６からは補強部材１１が露出している。
【００３１】
図９に示すように、補強部材１１は、厚肉部３ｂから薄肉部３ｃにわたって連続的に設けられている。補強部材１１は厚肉部３ｂと薄肉部３ｃとの境界部分に設けられている。補強部材１１は連結体３の下端部まで設けられている。一対の連結体３のそれぞれは湾曲形状を有している。補強部材１１は、一対の連結体のそれぞれの湾曲形状に沿うように湾曲部１２を有している。また、補強部材１１は、連結体３の厚み方向の中央部に位置している。
【００３２】
図１０を参照して、一対の補強部材１１の各々は２つの湾曲部１２を有している。すなわち、補強部材１１の各々は上部において２段に屈曲している。
【００３３】
図１１を参照して、補強部材１１は、下側の湾曲部１２の傾斜角度βが挿入部４の背当て部Ｔの前方向への背当て部Ｔの上端からの傾斜角度βと等しくなるように形成されている。
【００３４】
図１２を参照して、補強部材１１は、上側の湾曲部１２の傾斜角度αが挿入部４の背当て部Ｔの中心線Ｃ方向への背当て部Ｔの外側からの傾斜角度αと等しくなるように形成されている。
【００３５】
本実施の形態のランドセルでは、背負いベルト取付具１００の連結体３は軸孔７に挿入された取付板１の支軸８を中心に回動する。この際、取付板１の摺動体６に連結体３の摺動孔５が摺動する。また、一対の連結体３の歯合部３ａが互いに噛み合っている。このようにして連結体３が揺動する。連結体３が揺動することによって、使用者の体格に応じて背負いベルトＢの位置が左右方向に移動する。また、バネ９により連結体３に付される内方向の弾力によって使用者の体格に応じて背負いベルトＢの位置が維持される。
【００３６】
次に本実施の形態の変形例について説明する。
図１３〜図１５を参照して、本実施の形態の変形例１では、一対の連結体３のそれぞれは前後方向および左右方向のいずれにも傾斜していない。図１６および図１７を参照して、補強部材１１は平面状に形成されており、湾曲部１２（図１０参照）を有していない。
【００３７】
図１８および図１９を参照して、本実施の形態の変形例２では、一対の連結体３のそれぞれは前後方向に傾斜している。補強部材１１は前後方向に湾曲する湾曲部１２を有している。すなわち、補強部材１１は上部において１段に屈曲している。
【００３８】
図２０および図２１を参照して、本実施の形態の変形例３では、一対の連結体３のそれぞれは前後方向および左右方向の両方に傾斜している。つまり、上記の本実施の形態と同様の形状を有している。本実施の形態の変形例３では補強部材１１の湾曲部１２が連続的に形成されている。このため、湾曲部１２は断面視において円弧状に形成されている。湾曲部１２は滑らかに湾曲するように形成されており、屈曲するようには形成されていない。
【００３９】
なお、上記では、補強部材１１が樹脂で覆われている場合について説明したが、これに限定されない。連結体３の本体に溝が形成されており、その溝に補強部材１１が嵌め込まれていてもよい。補強部材１１の一部が連結体３から露出するが、この場合も連結体３の内部に補強部材１１は設けられている。
【００４０】
次に本実施の形態の作用効果について説明する。
本実施の形態の背負いベルト取付具１００によれば、連結体３は内部に補強部材１１を有しているため、補強部材１１によって連結体３を補強することができる。これにより、補強部材１１によって連結体３の耐久性を向上することができる。
【００４１】
また、連結体３は厚肉部３ｂと薄肉部３ｃとの境界部分で破損することがある。本実施の形態の背負いベルト取付具１００では、補強部材１１を厚肉部３ｂから薄肉部３ｃにわたって連続的に設けることにより、補強部材１１によって破損し易い厚肉部３ｂと薄肉部３ｃとの境界部分を補強することができる。これにより、補強部材１１によって連結体３を効果的に補強することができる。
【００４２】
また、連結体３は湾曲した部分で破損することもある。本実施の形態の背負いベルト取付具１００では、補強部材１１に連結体３の湾曲形状に沿う湾曲部１２を設けることで、湾曲部１２によって破損し易い連結体３の湾曲した部分を補強することができる。これにより、補強部材１１によって連結体３を効果的に補強することができる。
【００４３】
本実施の形態の背負いベルト取付具１００では、補強部材１１は連結体３の厚み方向の中央部に位置しているため、補強部材１１によって連結体３の厚み方向の中央部で連結体３を補強することができる。したがって、補強部材１１によって連結体３の厚み方向で連結体３を効果的に補強することができる。
【００４４】
背負いベルト取付具１００では、補強部材１１は金属板で形成されているため、金属板で連結体３を補強することができる。したがって、補強部材１１によってしっかりと連結体３を補強することができる。連結体３の樹脂に亀裂が生じた場合でも補強部材１１が金属板で形成されているため亀裂の進行を抑えることができる。このため、連結体３の耐久性を向上することができる。
【００４５】
本実施の形態のランドセルは、背負いベルト取付具１００によって背当て部Ｔに背負いベルトＢを取付けている。本実施の形態のランドセルは、背負いベルト取付具１００を備えているため、連結体３の耐久性を向上することができる。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【産業上の利用可能性】
【００４７】
本発明は、背負い鞄の背当て部に背負いベルトを取付けるための背負いベルト取付具およびそれを備えた背負い鞄に特に有利に適用され得る。
【符号の説明】
【００４８】
１  取付板、２  上蓋板、３  連結体、３ａ  歯合部、３ｂ  厚肉部、３ｃ  薄肉部、４  挿入部、４ａ  挿入孔、５  摺動孔、６  摺動体、７  軸孔、８  支軸、９  バネ、１０，１０ａ  リベット、１１  補強部材、１１ａ  貫通孔、１２  湾曲部、１００  ベルト取付具、Ｂ  背負いベルト、Ｒ  ランドセル本体、Ｔ  背当て部。
【図１】
0006050608.tif 000002
【図２】
0006050608.tif 000003
【図３】
0006050608.tif 000004
【図４】
0006050608.tif 000005
【図５】
0006050608.tif 000006
【図６】
0006050608.tif 000007
【図７】
0006050608.tif 000008
【図８】
0006050608.tif 000009
【図９】
0006050608.tif 000010
【図１０】
0006050608.tif 000011
【図１１】
0006050608.tif 000012
【図１２】
0006050608.tif 000013
【図１３】
0006050608.tif 000014
【図１４】
0006050608.tif 000015
【図１５】
0006050608.tif 000016
【図１６】
0006050608.tif 000017
【図１７】
0006050608.tif 000018
【図１８】
0006050608.tif 000019
【図１９】
0006050608.tif 000020
【図２０】
0006050608.tif 000021
【図２１】
0006050608.tif 000022